(57)【要約】    【課題】      ユーザが予め応答用メッセージを返送するための設定を行わなくても、通常の通話を行わないことが好ましい状況において、確実に、応答用のメッセージによる返答を行うことができる携帯通信装置を提供すること。    【解決手段】  本発明は、予め応答用のメッセージを蓄積しておき、着信時に自動的に蓄積しておいた応答用のメッセージを表示し、表示した応答用のメッセージが選択された際に、選択された応答用のメッセージを自動的に発信元に返送するようにすることにより、通常の通話を行わないことが好ましい状況において、確実に、応答用のメッセージを発信元に返送することができるようにした。  【選択図】      図２
2005057539.tif 000002
【特許請求の範囲】
【請求項１】
他の携帯通信装置と通信を行う通信手段と、各種情報を表示する表示手段と、各種情報を入力する操作手段と、状況に応じた複数の応答用のメッセージを蓄積するメッセージ蓄積手段と、前記他の携帯通信装置から着信があった場合に、蓄積された前記メッセージに関する情報を前記表示手段に表示し、前記操作手段から状況に応じて選択された前記メッセージを前記他の携帯通信装置に返送するメッセージ送信処理を行う制御手段と、を具備したことを特徴とする携帯通信装置。
【請求項２】
前記他の携帯通信装置と通信することが好ましい状態か否かを判断する状態検出手段を具備し、前記制御手段は、前記他の携帯通信装置と通信することが好ましくない場合に前記メッセージ送信処理を行うことを特徴とする請求項１記載の携帯通信装置。
【請求項３】
前記状態検出手段により前記他の携帯通信装置と通信することが好ましくない状態と判定された場合は、強制的にマナーモードにすることを特徴とする請求項２記載の携帯通信装置。
【請求項４】
前記状態検出手段は、ＧＰＳ、携帯基地局、現在通信可能なＷＬＡＮのサーバや近距離無線であるＵＷＢのサーバ、無線タグの少なくとも１つから通信可能か否かを判断するための情報を取得することを特徴とする請求項２記載の携帯通信装置。
【請求項５】
現在位置を検出する検出手段を具備し、前記現在位置を通知するメッセージを生成し、表示し、前記現在位置を通知するメッセージが選択された場合に、前記現在位置を通知するメッセージを返送することを特徴とする請求項１から請求項４のいずれかに記載の携帯通信装置。
【請求項６】
現在位置を検出する検出手段を具備し、前記現在位置を通知するメッセージを生成し、前記メッセージ蓄積手段に蓄積することを特徴とする請求項１から請求項４のいずれかに記載の携帯通信装置。
【請求項７】
現在位置および移動状態から応答予定時刻を検出する検出手段を具備し、前記応答予定時刻を通知するメッセージを生成し、表示し、前記応答予定時刻を通知するメッセージが選択された場合に、前記応答予定を通知するメッセージを返送することを特徴とする請求項１から請求項４のいずれかに記載の携帯通信装置。
【請求項８】
前記操作手段は、複数のキーを有するテンキーを具備し、前記制御手段は、前記メッセージに関する情報と前記キーとを対応させて前記表示手段に表示し、前記キーが選択された場合に、選択された前記キーに対応する前記メッセージを返送することを特徴とする請求項１から請求項７記載のいずれかに携帯通信装置。
【請求項９】
前記操作手段は、通信開始するための通信ボタンを具備し、前記通信開始ボタンが押下された場合に、前記メッセージ送信処理を行わずに通信するように制御することを特徴とする請求項１から請求項８のいずれかに記載の携帯通信装置。
【請求項１０】
前記メッセージは、音声またはテキストによるメッセージであることを特徴とする請求項１から請求項９のいずれかに記載の携帯通信装置。
【発明の詳細な説明】
【技術分野】
【０００１】
本発明は、発信者に対して応答用のメッセージを返送する携帯通信装置に関する。
【背景技術】
【０００２】
従来より、ユーザが、電車の中や運転中などで、通常の通話を行うことが好ましくなく通話できない状況で着信した際に、通常の通話を行わずに、発信者に対して応答メッセージを返送する携帯電話装置がある（例えば、特許文献１参照）。
【０００３】
これは、ユーザが、これから通話できない状況になる場合に、予め、携帯電話装置を、着信時に自動的に応答用のメッセージを返送する自動応答モードに設定しておくものである。そして、ユーザが通常の通話ができない場合に着信した際に、応答用のメッセージを自動的に発信者に対して返送する。
【特許文献１】特開２００１−７７９０９号公報
【発明の開示】
【発明が解決しようとする課題】
【０００４】
しかしながら、従来の携帯電話装置は、ユーザがこれから通常の通話ができなくなるという状況を判断して、応答用のメッセージを返送する自動応答モードにする必要がある。
【０００５】
このため、ユーザが自動応答モードの設定をすることが好ましいのにも関わらずに、自動応答モードの設定を忘れる場合がある。この結果、ユーザは、電車の中など、自動応答モードの設定をすることが好ましいのにも関わらずに、自動応答モードの設定をしていないという事態が発生する可能性がある。つまり、通常の通話を行わないことが好ましい状況において、通話を行ってしまう状況になるという問題がある。
【０００６】
特に、短時間に電車を乗り継ぐ等、着信できる状況と着信できない状況が短時間で繰り返される場合には、ユーザは自動応答モードの設定および解除を繰り返す必要があり、操作が面倒になるので、自動応答モードの設定を忘れやすい。
【０００７】
本発明は、かかる点に鑑みてなされたものであり、ユーザが予め応答用メッセージを返送するための設定を行わなくても、通常の通話を行わないことが好ましい状況において、確実に、応答用のメッセージによる返答を行うことができる携帯通信装置を提供することを目的とする。
【課題を解決するための手段】
【０００８】
本発明は、予め応答用のメッセージを蓄積しておき、着信時に自動的に蓄積しておいた応答用のメッセージを表示し、表示した応答用のメッセージが選択された際に、選択された応答用のメッセージを自動的に発信元に返送するようにした。
【発明の効果】
【０００９】
これにより、ユーザが予め応答用メッセージを返送するための設定を行わなくても、通常の通話を行わないことが好ましい状況において、確実に、応答用のメッセージを発信元に返送することができる。
【発明を実施するための最良の形態】
【００１０】
本発明の第１の態様にかかる携帯通信装置は、他の携帯通信装置と通信を行う通信手段と、各種情報を表示する表示手段と、各種情報を入力する操作手段と、状況に応じた複数の応答用のメッセージを蓄積するメッセージ蓄積手段と、前記他の携帯通信装置から着信があった場合に、蓄積された前記メッセージに関する情報を前記表示手段に表示し、前記操作手段から状況に応じて選択された前記メッセージを前記他の携帯通信装置に返送するメッセージ送信処理を行う制御手段と、を具備した構成を採る。
【００１１】
これにより、ユーザが予め応答用メッセージを返送するための設定を行わなくても、通話できない状況にある場合に着信した際に、自動的に応答用のメッセージを返送する処理を行うことができる。
【００１２】
本発明の第２の態様は、第１の態様にかかる携帯通信装置において、前記他の携帯通信装置と通信することが好ましい状態か否かを判断する状態検出手段を具備し、前記制御手段は、前記他の携帯通信装置と通信することが好ましくない場合に前記メッセージ送信処理を行う。
【００１３】
これにより、ユーザが、通話することが好ましい状態か否かを判断する必要がなくなり、ユーザの操作をより簡単にできる。
【００１４】
本発明の第３の態様は、第２の態様にかかる携帯通信装置において、前記状態検出手段により前記他の携帯通信装置と通信することが好ましくない状態と判定された場合は、強制的にマナーモードにする。
【００１５】
これにより、着信音により、周囲の人に迷惑をかけてしまうような状態を避けることができる。これは、例えば電車の中等の状態において、非常に効果的である。
【００１６】
本発明の第４の態様は、第２の態様にかかる携帯通信装置において、前記状態検出手段は、ＧＰＳ、携帯基地局、現在通信可能なＷＬＡＮのサーバや近距離無線であるＵＷＢのサーバ、無線タグの少なくとも１つから通信可能か否かを判断するための情報を取得する。
【００１７】
これにより、通信することが好ましく無い状態を検出することができる。
【００１８】
本発明の第５の態様は、第１の態様から第４の態様のいずれかにかかる携帯通信装置において、現在位置を検出する検出手段を具備し、前記現在位置を通知するメッセージを生成し、表示し、前記現在位置を通知するメッセージが選択された場合に、前記現在位置を通知するメッセージを返送する。
【００１９】
これにより、ユーザが現在位置を調べなくても、自動的に現在位置や移動状態を用いたメッセージを返送できる。この結果、発信元は、どの程度待てば携帯通信装置のユーザと通話できるか正確に把握できる。
【００２０】
本発明の第６の態様にかかる携帯通信装置は、第１の態様から第４の態様のいずれかにかかる携帯通信装置において、現在位置を検出する検出手段を具備し、前記現在位置を通知するメッセージを生成し、前記メッセージ蓄積手段に蓄積する。
【００２１】
これにより、必要に応じて現在位置を通知するメッセージを抽出し、返送することができる。
【００２２】
本発明の第７の態様は、第１の態様または第４の態様にいずれかにかかる携帯通信装置において、現在位置および移動状態から応答予定時刻を検出する検出手段を具備し、前記応答予定時刻を通知するメッセージを生成し、表示し、前記応答予定時刻を通知するメッセージが選択された場合に、前記応答予定を通知するメッセージを返送する。
【００２３】
これにより、ユーザが現在位置や移動状態などを調べなくても、自動的に現在位置や移動状態を用いて応答予定時刻を計算し、計算した応答予定時刻を用いたメッセージを発信元に返送できる。この結果、発信元は、どの程度待てば携帯通信装置のユーザと通話できるか正確に把握できる。
【００２４】
本発明の第８の態様は、第１の態様から第７の態様のいずれかにかかる携帯通信装置において、前記操作手段は、複数のキーを有するテンキーを具備し、前記制御手段は、前記メッセージに関する情報と前記キーとを対応させて前記表示手段に表示し、前記キーが選択された場合に、選択された前記キーに対応する前記メッセージを返送する。
【００２５】
これにより、ユーザがキーとメッセージとの関連を視覚的に容易に把握できる。また、ユーザは、テンキーを押すという非常に単純な処理によって、メッセージを選択でき、選択したメッセージを発信元に返送できる。
【００２６】
本発明の第９の態様は、第１の態様から第８の態様のいずれかにかかる携帯通信装置において、前記操作手段は、通信開始するための通信ボタンを具備し、前記通信開始ボタンが押下された場合に、前記メッセージ送信処理を行わずに通信するように制御する。
【００２７】
これにより、ユーザがどうしても通話する必要がある場合には、応答メッセージを返す処理でなく、通常の通話を行うようにすることもできる。
【００２８】
本発明の第１０の態様は、第１の態様から第９の態様のいずれかにかかる携帯通信装置において、前記メッセージは、音声またはテキストによるメッセージである。
【００２９】
これにより、音声またはテキストにより、発信元に応答することができる。
【００３０】
以下、本発明の一実施の形態にかかる携帯通信装置を適用した携帯電話装置について添付図面を用いて詳細に説明する。
【００３１】
まず、上記実施の形態にかかる携帯電話装置の構成について図１を用いて説明する。図１は、上記実施の形態にかかる携帯電話装置の概観図である。
【００３２】
本形態にかかる携帯電話装置１００の表示部１０８の下方部には、ユーザが各種情報を入力するための操作部１０１が設けられている。
【００３３】
操作部１０１の下方部には、数字などの文字情報を入力するための複数のキーが設けられたテンキー１０２が設けられている。
【００３４】
また、操作部１０１のテンキー１０２の上方左方には、他の携帯電話と通話するための通話ボタン１０３が設けられている。また、操作部１０１のテンキー１０２の上方右方には、他の携帯電話との通話を終了する終了ボタン１０４が設けられている。
【００３５】
また、操作部１０１のテンキー１０２と通話ボタン１０３との間には、各種設定を行う場合に各種設定メニューを選択するためのメニューボタン１０５が設けられている。また、操作部１０１のテンキー１０２と終了ボタン１０４との間には、着信時に音声ではなく振動による通知などを行うモードであるマナーモードの設定をするためのマナーモードボタン１０６が設けられている。
【００３６】
また、操作部１０１の通話ボタン１０３、終了ボタン１０４、メニューボタン１０５、およびマナーモードボタン１０６の間には、後述する表示部１０８に表示した情報をスクロールするためのスクロールボタン１０７が設けられている。スクロールボタン１０７は、上下左右の４方向入力ができるボタンである。
【００３７】
また、携帯電話装置１００の操作部１０１の上方には、各種情報を表示するための表示部１０８が設けられている。表示部１０８は、ＬＣＤ等で構成されている。
【００３８】
また、携帯電話装置１００の下端部には、音声を入力するための音声入力部１０９が設けられている。また、携帯電話装置１００の上端部には、音声を出力するための音声出力部１１０が設けられている。
【００３９】
また、携帯電話装置１００の上端には、他の携帯電話装置から送られてきた無線信号を受信するためのアンテナ１１１が設けられている。
【００４０】
次に、携帯電話装置１００のハード構成について図２を用いて説明する。図２は、携帯電話装置１００のハードブロック図である。なお、既に説明した部分と同一の部分には同一の符号を付与し、詳細な説明を省略する。
【００４１】
携帯電話装置１００には、全体を制御する制御部２０１が設けられている。制御部２０１は、ＣＰＵなどで構成されている。
【００４２】
また、携帯電話装置１００には、アンテナ１１１で受信した無線信号を制御部２０１が理解できる情報に復調したり、アンテナ１１１に対して送る情報を無線信号に変調したりする無線通信部２０２が設けられている。
【００４３】
また、携帯電話装置１００には、着信があった場合に、着信音を出力する鳴動部２０３と、マナーモード時に着信があった場合に、携帯電話装置１００を振動させる振動発生部２０４と、が設けられている。
【００４４】
また、携帯電話装置１００には、携帯電話装置１００が通話可能な状態（通話することが好ましい状態）であるか否かを判断するための情報を取得し、通話可能であるか否かを検出する状態検出部２０５が設けられている。
【００４５】
状態検出部２０５は、ＧＰＳ、携帯基地局、現在通信可能なＷＬＡＮ（ＷＩＲＥＬＥＳＳ  ＬＡＮ）のサーバや近距離無線であるＵＷＢ（Ｕｌｔｒａ  Ｗｉｄｅ  Ｂａｎｄ）のサーバ、無線タグ（ＲＦＩＤタグ）から通話することが好ましい状態か否かを判断するための情報を取得する。
【００４６】
具体的には、状態検出部２０５は、ＧＰＳや携帯基地局を用いて現在の位置を取得する。また、状態検出部２０５は、現在通信可能なＷＬＡＮやＵＷＢのサーバから現在の位置、移動（運行）状況、通話することが好ましい状態にあるのか否か、最寄りの駅、目的地への到着時間等の情報を取得する。また、状態検出部２０５は、近傍にある無線タグから現在の位置、通話することが好ましい状態にあるのか否かなどの情報を取得する。
【００４７】
なお、通話することが好ましく無い状態とは、電車に乗車していて通話により他人に迷惑がかかる状態や、ハンズフリー機器が接続されていない車に乗っている場合などのように、電波は届くが通話することが好ましくない状態を言う。また、新幹線等に乗車していて高速に移動する場合も、通話することが好ましくない状態としても良い。さらに、図書館や試験会場などにいて通話により周りに迷惑を及ぼす場合も通話することが好ましくない状態になる。また、無線通信が周辺機器に影響を与えない場合は、病院にいる場合も通話をすることが好ましく無い状態になる。
【００４８】
状態検出部２０５は、ＧＰＳを用いる場合は移動する速度を取得、携帯基地局、通信可能なＷＬＡＮを用いる場合は基地局を変更する頻度とセルラー間の距離から移動速度を取得、ＵＷＢのサーバもしくは近傍にある無線タグの場合を用いる場合は、ＵＷＢのサーバもしくは近傍にある無線タグから直接電車や車に乗っているという情報を取得することにより現在電車や車に乗っているか否かを判断し、通話することが好ましい状態か否かを判断する。また、状態検出部２０５は、ＵＷＢのサーバもしくは近傍にある無線タグを用いる場合は、直接ハンドフリー装備のない車に乗っているという情報を取得することもできる。
【００４９】
また、状態検出部２０５は、ＧＰＳから移動速度を検出したり、通信可能な携帯基地局またはＷＬＡＮの基地局の変化を検出することにより新幹線などに乗って高速に移動していることを検出する。また、状態検出部２０５は、ＵＷＢのサーバ、近傍にある無線タグから新幹線などの中にいて高速に移動しているという情報を取得することもできる。
【００５０】
また、状態検出部２０５は、ＧＰＳを用いる場合はＧＰＳから取得した位置情報と地図情報を照らし合わせることで、通信可能な携帯基地局やＷＬＡＮを用いる場合はこれらから取得した位置情報と地図情報を照らし合わせることにより、現在図書館などの通話することが好ましく無い位置にいることを検出し、現在通話することが好ましくない状況であることを検出する。また、状態検出部２０５は、ＵＷＢのサーバ、近傍にある無線タグを用いる場合は、これらから直接、現在位置が通話することが好ましく無い位置であるという情報を取得する。
【００５１】
また、携帯電話装置１００には、状態検出部２０５が、着信時に通常の通話が行えないと判断した場合に、発信者に対して返送する応答メッセージを蓄積するメッセージ蓄積部２０６が設けられている。
【００５２】
次に、メッセージ蓄積部２０６の構成について図３を用いて説明する。図３は、メッセージ蓄積部２０６の構成を示す図である。
【００５３】
メッセージ蓄積部２０６には、テンキー１０２のキー番号３０１と、表示部１０８に表示する表示メッセージ３０２と、実際に返送する応答メッセージのデータ３０３と、の組が複数格納されている。
【００５４】
データ３０３は、応答メッセージが音声メッセージの場合は、音声データになっており、応答メッセージがメールである場合は、テキストデータになっている。
【００５５】
また、表示メッセージ３０２は応答メッセージに関連する情報であり、実際のデータ３０３の内容を示すメッセージになっている。また、表示メッセージ３０２は、データ３０３が音声メッセージかメールなのかわかるような記載になっている。
【００５６】
また、応答メッセージをリアルタイムの現在位置を通知するようにすることもできる。現在位置を通知する応答メッセージに対応する表示メッセージは、図中３０２ａ、３０２ｂに示す表示メッセージのように現在位置を示す情報を含む。また、この場合、実際のメッセージのデータ３０３も表示メッセージ３０２ａ、３０２ｂと同様に、現在位置を示す情報を含む。
【００５７】
ユーザが、このように現在位置を通知するメッセージを応答メッセージとして設定した場合には、状態検出部２０５が現在位置の情報を取得し、制御部２０１が状態検出部２０５の取得した現在位置に対応したメッセージを生成する。
【００５８】
また、応答メッセージが応答予定時刻を通知するようにもできる。応答予定時刻を通知する応答メッセージに対応する表示メッセージは、図中３０２ｃ、３０２ｄに示す表示メッセージのように、応答予定時刻情報を含む。また、この場合、実際のメッセージのデータ３０３も表示メッセージ３０２ｃ、３０２ｄと同様に応答予定時刻情報を含む。
【００５９】
このように応答予定時刻を通知するメッセージを応答メッセージとして設定する際には、ユーザが、予め到着予定時刻を入力しても良いし、ユーザが、到着地を入力し、状態検出部２０５が現在の位置情報および移動状態を取得し、制御部２０１が状態検出部２０５の取得した現在位置および移動状態から到着時刻を計算し、計算した到着時刻を応答予定時刻としてメッセージに挿入するようにしてもよい。
【００６０】
また、応答メッセージが目的地までの所要時間を通知するようにもできる。所要時間を通知する応答メッセージに対応する表示メッセージ３０２および実際のメッセージのデータ３０３は、所要時間情報を含むようになる。
【００６１】
このように所要時間を通知するメッセージを応答メッセージとして設定する際には、ユーザが、予め所要時間を入力しても良いし、ユーザが、到着地を入力し、状態検出部２０５が現在の位置情報および移動状態を取得し、制御部２０１が状態検出部２０５の取得した現在位置および移動状態から所要時間を計算してメッセージに挿入するようにしてもよい。
【００６２】
また、表示メッセージ３０２、データ３０３はユーザが登録するようになっている。次に、携帯電話装置１００がメッセージ蓄積部２０６に応答メッセージを蓄積する動作について図４を用いて説明する。図４は、携帯電話装置１００がメッセージ蓄積部２０６に応答メッセージを蓄積する動作フローチャートである。
【００６３】
ユーザにより、操作部１０１のテンキー１０２から、所望のキー番号の入力があると、携帯電話装置１００の制御部２０１は、入力されたキー番号をメッセージ蓄積部２０６に記憶する（ＳＴ４０１）。
【００６４】
次に、ユーザにより、操作部１０１から、応答メッセージとして音声メッセージの登録を行う旨の入力があると（ＳＴ４０２）、携帯電話装置１００の制御部２０１は、ユーザから表示メッセージの入力があるのを待つ。そして、ユーザから表示メッセージの入力があると（ＳＴ４０３）、制御部２０１は、入力された表示メッセージに対応する音声メッセージが位置情報を用いた音声メッセージであるか否かを判断する（ＳＴ４０４）。
【００６５】
位置情報が必要な音声メッセージとは、図３の３０２ａ、３０２ｃで示されるような表示メッセージに対応する音声メッセージであり、現在位置に対応して、リアルタイムに変化する音声メッセージである。
【００６６】
ＳＴ４０４において、位置情報が必要な音声メッセージでないと判断すると、携帯電話装置１００の制御部２０１は、音声入力部１０９から音声入力を待ち、音声入力があると、この音声を音声メッセージとして録音し（ＳＴ４０５）、ＳＴ４０１で入力されたキー番号およびＳＴ４０３で入力された表示メッセージに対応付けて、メッセージ蓄積部２０６に蓄積する（ＳＴ４０６）。
【００６７】
このように携帯電話装置１００は、応答メッセージとして、音声メッセージを蓄積する。
【００６８】
なお、新たな音声メッセージを録音せずに、予め携帯電話装置１００が用意してある音声メッセージや、既にユーザが録音済みの音声メッセージを使用しても良い。
【００６９】
ＳＴ４０４において、位置情報が必要な音声メッセージであると判断すると、携帯電話装置１００の制御部２０１は、位置情報に応じてリアルタイムに更新される音声メッセージを生成する（ＳＴ４０７）。次に、制御部２０１は、ＳＴ４０７において、携帯電話装置１００に予め蓄積されている定型の音声メッセージを用いて位置情報を用いた音声メッセージを生成する。
【００７０】
蓄積されている定型の音声メッセージとしては、図３の３０２ａ、３０２ｃのようなデータがある。また、３０２ａ、３０２ｂに含まれる現在位置情報である○○線および□□駅や、応答予定時刻である××分後などの情報は状態検出部２０５の検出結果に応じてリアルタイムに変化する。
【００７１】
そして、制御部２０１は、ＳＴ４０７において生成した、位置情報を用いた音声メッセージを、ＳＴ４０１において入力されたキー番号およびＳＴ４０３において入力された表示メッセージ３０２と対応付けてメッセージ蓄積部２０６に蓄積する（ＳＴ４０６）。
【００７２】
このようにして、携帯電話装置１００は、応答メッセージとして、位置情報に応じた音声メッセージを生成し、蓄積する。これにより、ユーザが現在位置や移動状態などを調べなくても、自動的に携帯電話装置１００が現在位置や移動状態を用いた音声メッセージを生成できる。
【００７３】
なお、制御部２０１は状態検出部２０５から定期的に位置情報などの情報を取得し、応答メッセージに現在位置情報を挿入した音声メッセージを生成し、蓄積しておくようにしても良い。これにより、着信時に位置情報を取得し、位置情報を挿入した音声メッセージを作成する必要が無くなり、着信時の応答が速くなる。
【００７４】
一方、ユーザにより、操作部１０１から、応答メッセージをメール（テキスト）により送信する旨の入力があると（ＳＴ４０２）、携帯電話１００の制御部２０１は、ユーザから表示メッセージの入力があるのを待つ。そして、ユーザから表示メッセージの入力があると（ＳＴ４０８）、制御部２０１は、入力された表示メッセージに対応するテキストが位置情報を用いるテキストであるか否かを判断する（ＳＴ４０９）。
【００７５】
位置情報を用いるテキストとは、図３の３０２ｂ、３０２ｄで示されるような表示メッセージに対応するテキストであり、現在位置に対応して、リアルタイムに変化するテキストである。
【００７６】
ＳＴ４０９において、位置情報が必要なテキストでないと判断すると、制御部２０１は、ＳＴ４０８で入力された表示メッセージを応答メッセージに使用するテキストとして、ＳＴ４０１で入力されたキー番号に対応付けて、メッセージ蓄積部２０６に蓄積する（ＳＴ４０６）。
【００７７】
このように携帯電話装置１００は、応答メッセージとして、テキストを蓄積する。
【００７８】
なお、ＳＴ４０８で入力された表示メッセージと、メールに使用するテキストとを別途入力する形態であっても良い。また、携帯電話装置１００に、定型のメールを予め蓄積しておき、これを応答用のメッセージに使用しても良い。
【００７９】
一方、ＳＴ４０９において、位置情報が必要なテキストであると判断すると、携帯電話装置１００の制御部２０１は、位置情報を用いたテキスト（メール）を生成する（ＳＴ４１０）。そして、制御部２０１は、ＳＴ４１０において生成した、テキストを、ＳＴ４０１において入力されたキー番号およびＳＴ４０８において入力された表示メッセージ４０３と対応付けてメッセージ蓄積部２０６に蓄積する（ＳＴ４０６）。
【００８０】
このようにして、携帯電話装置１００は、応答メッセージとして、位置情報に応じたテキストを生成し、蓄積する。これにより、ユーザが現在位置や移動状態などを調べなくても、自動的に携帯電話装置１００が現在位置や移動状態を用いたテキストを生成できる。
【００８１】
なお、制御部２０１は状態検出部２０５から定期的に位置情報などの情報を取得し、応答メッセージに現在位置情報を挿入したテキストを生成し、蓄積しておくようにしても良い。これにより、着信時に位置情報を取得し、位置情報を挿入したテキストを作成する必要が無くなり、着信時の応答が速くなる。
【００８２】
なお、音声メッセージは、定型メッセージを録音するように説明したが、テキスト・メッセージを音声合成処理により音声に変換しても良い。
【００８３】
次に、携帯電話装置１００の着信時の動作について図５を用いて説明する。図５は、携帯電話装置１００の着信時の動作フローチャートである。
【００８４】
まず、携帯電話装置１００は、無線通信部２０２において、他の携帯電話装置から着信を検知する（ＳＴ５０１）。次に、携帯電話装置１００は、状態検出部２０５において、通話することが好ましい状態か否かを検出する（ＳＴ５０２）。
【００８５】
そして、ＳＴ５０３において、現在通話することが好ましい状態であると判断すると、携帯電話装置１００の制御部２０１は、無線通信部２０２を用いて通常の通話を行う（ＳＴ５０４）。
【００８６】
一方、ＳＴ５０３において、現在通話することが好ましくないと判断すると、携帯電話装置１００は、着信に対して、応答メッセージを返送するメッセージ送信処理に移行する。
【００８７】
まず、携帯電話装置１００の制御部２０１は、現在マナーモード設定中か判断する（ＳＴ５０５）。
【００８８】
ＳＴ５０５において、マナーモードに設定していると判断すると、制御部２０１は、振動発生部２０４を振動させることで、ユーザに着信を伝える（ＳＴ５０６）。一方、ＳＴ５０５において、マナーモードに設定していないと判断すると、制御部２０１は、鳴動部２０３を鳴動させることで、ユーザに着信を伝える（ＳＴ５０７）。
【００８９】
なお、ＳＴ５０３において、状態検出部２０５が現在通話することが好ましくないと判断した時に、制御部２０１が強制的にマナーモードにするようにしても良い。
【００９０】
これにより、着信音により、周囲の人に迷惑をかけてしまうような状態を避けることができる。これは、例えば電車の中等の状態において、非常に効果的である。
【００９１】
次に、携帯電話装置１００の制御部２０１は、メッセージ蓄積部２０６を参照する（ＳＴ５０８）。
【００９２】
次に、制御部２０１は、メッセージ蓄積部２０６に蓄積された応答メッセージに位置情報を用いる応答メッセージがあるか否かを判断する（ＳＴ５０９）。位置情報を用いる応答メッセージとは、図３の３０２ａ〜３０２ｄに示す表示メッセージに対応するメッセージである。
【００９３】
ＳＴ５０９において、位置情報を用いる応答メッセージが無いと判断すると、制御部２０１は、メッセージ蓄積部２０６に蓄積された、キー番号３０１と、表示メッセージ３０２を対応付けて表示部１０８に表示する（ＳＴ５１０）。
【００９４】
一方、ＳＴ５０９において、蓄積された応答メッセージに位置情報を用いる応答メッセージがあると判断すると、制御部２０１は、状態検出部２０５を用いて現在位置情報を取得する（ＳＴ５１１）。次に、制御部２０１は、取得した現在位置を、応答メッセージに挿入したメッセージを生成する（ＳＴ５１２）。そして、制御部２０１は、メッセージ蓄積部２０６に蓄積されたメッセージ（ＳＴ５１２において生成したメッセージを含む）のキー番号３０１と、表示メッセージ３０２を対応付けて表示部１０８に表示する（ＳＴ５１０）。
【００９５】
ＳＴ５１０において、キー番号と、表示メッセージを対応付けて表示した携帯電話装置の例を図６に示す。図６に示すように、携帯電話装置１００の制御部２０１は、通話できない状況において、ユーザに対して、予め設定しておいた応答メッセージとキーとを並べた一覧を表示する。
【００９６】
このように、キー番号と、応答メッセージに関する情報である表示メッセージとを関連付けて表示することにより、ユーザがキー番号と応答メッセージとの関連を視覚的に容易に把握できる。
【００９７】
次に、携帯電話装置１００の制御部２０１は、ユーザがテンキー１０２から所望のキーの入力をするのを待つ。そして、制御部２０１は、テンキー１０２からキーの入力があった場合には（ＳＴ５１３）、メッセージ蓄積部２０６から入力のあったキー番号に対応した応答メッセージのデータ３０３を抽出する。
【００９８】
そして、制御部２０１は、無線通信部２０２を介して、発信元に入力のあったキー番号に対応する応答メッセージを返送する（ＳＴ５１４）。
【００９９】
このように、携帯電話装置１００は、通話できない場合に、ユーザがテンキーを押下することにより、現在の状況に応じた応答メッセージを選択して発信元に返信できる。また、ユーザは、テンキーを押すという非常に単純な処理によって、応答メッセージを選択でき、選択した応答メッセージを発信元に返送できる。
【０１００】
一方、携帯電話装置１００の制御部２０１は、テンキー１０２からの入力ではなく、通話ボタンの押下を検出すると（ＳＴ５１５）、通常の通話を行う（ＳＴ５１６）。
【０１０１】
このように、ユーザがどうしても通話する必要がある場合には、応答メッセージを返す処理でなく、通常の通話を行うようにすることもできる。
【０１０２】
なお、通話することが好ましく無い状態においては、通話ボタンの押下があっても、通話することを禁止するようにしてもよい。
【０１０３】
また、上記実施の形態では、メッセージを表示する際に、必要に応じて位置情報を取得し、位置情報を用いる応答メッセージを生成した。しかし、ＳＴ５１３において、キー入力があった場合に、キー入力に対応する応答メッセージが位置情報必要とするか判断し、必要であれば位置情報を取得し位置情報を用いる応答メッセージを生成し、返送する形態であっても良い。
【０１０４】
以上説明したように、上記実施の形態によれば、携帯電話装置１００が、着信のあったことを通知すると共に、応答用のメッセージの一覧を自動的に表示し、ユーザが選択した応答用のメッセージを発信元に返信することができる。これにより、ユーザが予め応答用メッセージを返送するための設定を行わなくても、通話できない状況にある場合に着信した際に、自動的に応答用のメッセージを返送する処理を行うことができる。
【０１０５】
また、上記実施の形態によれば、状態検出部２０５が、通話することが好ましい状態か否かを判断し、通話することが好ましくない場合には、自動的に応答メッセージを返信する処理に移行できる。これにより、ユーザが、通話することが好ましい状態か否かを判断する必要がなくなり、ユーザの操作をより簡単にできる。
【０１０６】
また、上記実施の形態によれば、携帯電話装置１００は、応答メッセージとして、位置情報に応じた音声メッセージやテキストを生成し、蓄積できる。これにより、ユーザが現在位置や移動状態などを調べなくても、自動的に携帯電話装置１００が現在位置や移動状態を用いた音声メッセージやテキストを発信元に返送できる。この結果、発信元は、どの程度待てば携帯電話装置１００のユーザと通話できるか正確に把握できる。
【０１０７】
尚、本実施の形態において、テンキーは操作を入力する物理的なボタンまたは液晶ディスプレイ上に表示しタッチパネルとして操作できる論理的なボタンまたはその他ダイヤル、トラックボール、マウスなどによる操作が可能な操作入力部でもよい。
【０１０８】
また、音声またはテキストによるメッセージをよりデータ量の少ない符号（コード）で送信し、受信側で符号を認識して音声またはテキストのメッセージとして再生または表示をしてもよい。
【０１０９】
また、音声またはテキストによるメッセージに加えて、静止画や動画のメッセージも同様に扱える。
【０１１０】
また、テンキーにより操作できる応答メッセージなどの操作メニューの内容及び順番は上記実施の形態に限定されない。
【０１１１】
さらに、同操作メニューの順番をユーザが良く使う順にしてもよいし、ユーザがいる場所や時間（帯）によって、順番を切り替えても良い。
【０１１２】
さらに、ユーザのウィークディとウィークエンドの通信状況や操作履歴を記録保存しておき、同じウィークディまたはウィークエンドの同時間帯において、ユーザが次に行う操作を予測し、予め操作メニューとして提示したり、提示しかつユーザに知らせたりしてもよい。
【０１１３】
また、本実施の形態では、通話することが好ましくない状態において、応答メッセージの一覧を表示し、ユーザが選択した応答メッセージを返送する形態で説明したが、通話することが好ましい状態か否かに関わらず、応答メッセージを表示し、ユーザが応答しても良い。これにより、例えば、応答したくない相手から着信があった場合などにおいて、通話せずに予め用意した応答メッセージを返送することができる。
【０１１４】
また、本実施の形態では、通常の通話を行うモード、マナーモードに関わらず、予め用意した応答メッセージを表示し、返送するモードに移行する形態で説明したが、ユーザが予め用意した応答メッセージを表示し、返送するようなモードに移行しないように設定できるようにしても良い。また、マナーモードの際にのみ、予め用意した応答メッセージを表示し、返送するモードに移行する形態西手も良いし、通常の通話を行うモードの際にのみ予め用意した応答メッセージを表示し、返送するモードに移行する形態にしても良い。
【０１１５】
なお、本実施の形態では、携帯通信装置として、携帯電話装置を例に説明したが、これ以外であっても良い。例えば、携帯通信装置は、通信機能を持つＰＤＡ、無線通信機能を持ったノートパソコンなど、通信機能を持った携帯端末であればいかなる物であっても良い。さらに、通信機能を持つデジタルカメラなど、通信機能を持った携帯用電気機器に適用しても良い。
【産業上の利用可能性】
【０１１６】
以上説明したように、本発明によれば、ユーザが予め応答用メッセージを返送するための設定を行わなくても、通常の通話を行わないことが好ましい状況において、確実に、応答用のメッセージによる返答を行うことができる。これは、携帯電話にかかわらず通信機能を持つ電気機器であればいかなるものに適応できるので、その利用範囲は広い。
【図面の簡単な説明】
【０１１７】
【図１】本発明の一実施の形態にかかる携帯電話装置の概観図
【図２】本実施の形態にかかる携帯電話装置のハードブロック図
【図３】本実施の形態にかかるメッセージ蓄積部の構成を示す図
【図４】本実施の形態にかかる携帯電話装置がメッセージ蓄積部に応答メッセージを蓄積する動作フローチャート
【図５】本実施の形態にかかる携帯電話装置の着信時の動作フローチャート
【図６】本実施の形態にかかる携帯電話装置が表示する応答メッセージ一覧を示す図
【符号の説明】
【０１１８】
１００  携帯電話装置
１０１  操作部
１０２  テンキー
１０３  通話ボタン
１０４  終了ボタン
１０８  表示部
１０９  音声入力部
１１０  音声出力部
２０１  制御部
２０２  無線通信部
２０３  鳴動部
２０４  振動発生部
２０５  状態検出部
２０６  メッセージ蓄積部
【図１】
2005057539.tif 000003
【図２】
2005057539.tif 000004
【図３】
2005057539.tif 000005
【図４】
2005057539.tif 000006
【図５】
2005057539.tif 000007
【図６】
2005057539.tif 000008